(57)【特許請求の範囲】
【請求項１】
引違い障子、片引き障子等の召合せ框を有するサッシにおける防犯用錠前装置において、
外部側の障子の横方向の框に内部側で召合せ框近くに固定する見込み方向のめねじを有する受部材と、
内部側の障子の召合せ框の側面に接すると共に外部側の障子の横方向の框の内部側に接するフレームと受部材のめねじにねじ込み着脱自在にフレームを外部側の障子の横方向の框に固定するためのおねじ部材を有する掛部材と、
を有し、内部側の障子の召合せ框の側面に接するフレーム面を召合せ框の前記面に対して外部側が内部側よりも召合せ框よりも離れるように傾斜させた傾斜面とし、掛部材のおねじを受部材のめねじに締め込んでフレームを見込方向の外部側へ変位させる際に前記フレームの傾斜面が前記召合せ框の側面を加圧して内部側の障子と外部側の障子を引分けることを特徴とする防犯用錠前装置。
【請求項２】
引違い障子、片引き障子等の召合せ框を有するサッシにおける防犯用錠前装置において、
外部側の障子の横方向の框に内部側で召合せ框近くに固定する見込み方向のめねじを有する受部材と、
内部側の障子の召合せ框の側面に接する又は近接すると共に外部側の障子の横方向の框の内部側に接するフレームと受部材のめねじにねじ込み着脱自在にフレームを外部側の障子の横方向の框に固定するためのおねじ部材を有する掛部材と、
を有し、フレームに外部側の障子の横方向の框の内部側に接するフレームの部分の端部を外部側の障子の横方向の框の内部側に接するフレームの一部と見込方向で見て重なるように内部側へ折曲して腕部を設け、腕部の先端側に鍵手段の取付部を設け、前記取付部には鍵手段を有し、おねじ部材は鍵手段と付属する鍵を用いて鍵手段を通じて室内側より回動可能とされ且つ鍵手段に対して前進位置を規定されて取り付けられたことを特徴とする防犯用錠前装置。
【発明の詳細な説明】
【技術分野】
【０００１】
この発明は、引違い障子（戸を含む）、片引き障子（戸を含む）を有する開口部からの侵入盗を防止するための防犯用錠前装置に関する。
【背景技術】
【０００２】
従来、開口部の引違い障子、片引き障子には錠前装置を設けている。この錠前装置は、召合せ框の位置において召合せ框同士を固定する。又は、戸当り框と開口枠との間に設けているのが一般的である。処が近時侵入盗の著しい増加を動機として更に第２の錠前装置を設けることが行われている。この第２の錠前装置は前述の召合せ框同士又は戸当り框と開口枠との間に設けた錠前装置が侵入盗により、解錠又は破壊されても障子を開けられないようにするのが目的である。そこで第２の錠前装置は格別に防犯目的を有し、防犯用錠前装置と称する。
【０００３】
防犯用錠前装置は内部側の召合せ框に装着されるものが多い。そして、操作を簡単とするため構造が複雑なものが多い。また、召合せ框の室内側の面に固定するため、室内側への突出量が多くなってしまう。簡単な方法として窓台の室内側における外部側を向いた面又はアルミサッシの下枠と外障子の下框の内部側の面の間の溝に挿入してこの間隔を拡大して摩擦抵抗で障子の開閉を止める防犯具が知られている。この方法は摩擦抵抗によっているためロック状態が確実でない場合もあり得る。ところがこの防犯具は窓台又は下枠と下框の間を拡大するものであるため下框が外部側へ移動してしまう。そのため、引き寄せてある少なくとも下框と下枠間の引寄せを解除してしまい開口部の気密性を損ねてしまう。
【０００４】
引違い障子、片引き障子では内部側の召合せ框と外部側の召合せ框を引寄せて召合せ框部分の気密性を計ると共に他の框と開口枠間を引き寄せ又は引き寄せと引き分け（竪框と竪枠）により開口部の気密性を計っている。
【０００５】
施錠と引寄せ、引分けとを同時的に行うことができるクレセントは引違い障子、片引き障子に多用されている。しかし、クレセントは自体の耐久性が必ずしも永くなく、且つ、建屋の狂いから来るアルミサッシ開口枠の変形への対応が不可能である。そこでクレセントの引寄せ機能が損なわれて召合せ框部分での気密性が耐久的に損なわれるのは避け難い。また、クレセントで障子を引き分けている場合においても、引分け機能に引寄せ機能の低下と同様の不具合がある。
【特許文献１】特許公開２００３−２５３９４５
【特許文献２】実用新案登録第３０６０８３２号
【発明の開示】
【発明が解決しようとする課題】
【０００６】
この発明は簡易な構成で解錠できないようにした防犯用錠前装置を提供することを目的とする。
【０００８】
この発明は上記目的に加えて障子の引寄せ引分け機能を強化できる防犯用錠前装置を提供することを目的とする。
【課題を解決するための手段】
【００１２】
本出願に係る第１の発明は引違い障子、片引き障子等の召合せ框を有するサッシにおける防犯用錠前装置において、
外部側の障子の横方向の框に内部側で召合せ框近くに固定する見込み方向のめねじを有する受部材と、
内部側の障子の召合せ框の側面に接すると共に外部側の障子の横方向の框の内部側に接するフレームと受部材のめねじにねじ込み着脱自在にフレームを外部側の障子の横方向の框に固定するためのおねじ部材を有する掛部材と、
を有し、内部側の障子の召合せ框の側面に接するフレーム面を召合せ框の前記面に対して外部側が内部側よりも召合せ框よりも離れるように傾斜させた傾斜面とし、掛部材のおねじを受部材のめねじに締め込んでフレームを見込方向の外部側へ変位させる際に前記フレームの傾斜面が前記召合せ框の側面を加圧して内部側の障子と外部側の障子を引分けることを特徴とする防犯用錠前装置である。
【００１３】
本出願に係る第２の発明は引違い障子、片引き障子等の召合せ框を有するサッシにおける防犯用錠前装置において、
外部側の障子の横方向の框に内部側で召合せ框近くに固定する見込み方向のめねじを有する受部材と、
内部側の障子の召合せ框の側面に接する又は近接すると共に外部側の障子の横方向の框の内部側に接するフレームと受部材のめねじにねじ込み着脱自在にフレームを外部側の障子の横方向の框に固定するためのおねじ部材を有する掛部材と、
を有し、フレームに外部側の障子の横方向の框の内部側に接するフレームの部分の端部を外部側の障子の横方向の框の内部側に接するフレームの一部と見込方向で見て重なるように内部側へ折曲して腕部を設け、腕部の先端側に鍵手段の取付部を設け、前記取付部には鍵手段を有し、おねじ部材は鍵手段と付属する鍵を用いて鍵手段を通じて室内側より回動可能とされ且つ鍵手段に対して前進位置を規定されて取り付けられたことを特徴とする防犯用錠前装置である。
【発明の効果】
【００１７】
この発明の第１発明によれば受部材を外部側の障子の横方向の框に固定しておくだけで、格別な構造物をサッシに取り付けておく必要がない。そして、掛部材はフレームを外部側の障子の横方向の框と内部側の障子の召合せ框の見付方向に面する外面に接して又は近接しておねじ部材を操作するだけで着脱自在であり、操作性がよい。そして、内部側からのねじ部材の操作としてあるため侵入盗にとっては開錠し難く、防犯に寄与するものにおいて、開口部のサッシの狂い、クレセントの耐久的劣化により引分けが不完全になったとしても、掛部材を外障子の横方向の框に取り付ける際に引分けが行われるので、引分けの機能を保障できる。従って、開口部の気密性は保持される。
【００１８】
この発明の第２の発明によればおねじ部材は鍵手段で回動可能としたので鍵がないと掛部材を取り外すことができず、格段に防犯性がよいものにおいて、フレームが腕部を有するので、おねじ部材をねめじに締め込むと、フレームの腕部がたわむのでねじ部材とめねじ間の弛み止となる。それ故、侵入盗が外力で振動を障子に加えても解錠されるおそれがない。
【発明を実施するための最良の形態】
【００１９】
図面を参照して、この発明の最良の実施の形態をのべる。
【００２０】
この発明の主要な発明は、引違い障子、片引き障子等の召合せ框を有するサッシにおける防犯用錠前装置において、
外部側の障子７の横方向の框例えば中框２０の内部側で召合せ框１８近くに固定する見込み方向のめねじ３３ｂを有する受部材３３と、
内部側の障子６の召合せ框１２の見付方向に面する外面１２ｂに接すると共に外部側の障子７の横方向の框である中框２０の内部側に接するフレーム３５と、受部材３３のめねじ３３ｂにねじ込み着脱自在ににフレーム３５を外部側の障子７の横方向の框である中框２０に固定するためのおねじ部材３７を有する掛部材３４と、
を有し、掛部材３４を外障子の横方向の框である中框２０に着脱自在に固定する防犯用錠前装置である。
【００２１】
上記において、掛部材３４のフレーム３５には鍵手段３６を有し、おねじ部材３７は鍵手段３６と付属する鍵を用いて鍵手段３６を通じて室内側より回動可能とした。
【００２２】
上記において、フレーム３５の一端に内部側の障子６の召合せ框１２の内部側の面１２ｃに接する接触部３５ｃ２を設け、掛部材３４を固定する際に接触部３５ｃ２が内部側の障子６の召合せ框１２の内部側の面１２ｃを圧しておねじ部材３７がめねじ３３ｂに呼び込まれて内部側の障子６の召合せ框１２と外部側の障子７の召合せ框１８の引き寄せを行う。
【００２３】
上記において、内部側の障子６の召合せ框１２の見付方向に面する外面１２ｂに接するフレーム面を召合せ框１２の前記面１２ｂに対して外部側が内部側よりも召合せ框よりも離れるように傾斜させた傾斜面３５ｃ３とし、掛部材３４のおねじ３７ａを受部材３５のめねじ３３ｂに締め込んでフレーム３５を見込方向の外部側へ変位させる際に前記フレーム３５の傾斜面３５ｃ３が前記召合せ框１２の面１２ｂを加圧して内部側の障子６と外部側の障子７を引分ける。
【００２４】
上記鍵手段３６を有する場合に外部側の障子７の横方向の框である中框２０の内部側に接する部分の端部３５ｂ４を内部側へ内部側に接する部分と見込方向で見て重なるように折曲して腕部３５ｂ７を設け、腕部３５ｂ７の先端側に鍵手段３６の取付部３５ｂ６を設けたフレーム３５を有する。
【実施例】
【００２５】
以下、図面に従ってこの発明の実施例について説明する。
【００２６】
（引違い窓）
この発明は引違い障子又は片引き障子を有する窓、テラス戸等に適用されるものである。先ず、この発明が適用される引違い窓の例について説明する。
【００２７】
図１は内部側より見る引違い窓の正面図である。開口枠１は上枠２、下枠３、竪枠４，５により四方組され、内障子６、外障子７が引違いに嵌め込まれている。なお、片引き窓の場合は内障子６又は外障子７の何れか１つは嵌め殺しとなる。
【００２８】
図２は図１のＡ−Ａ断面図、図３は図１のＢ−Ｂ断面図である。内障子６は上框８、下框９、竪框１１、召合せ框１２が四方組され、障子の上下方向の中間の横方向の框である中框１０が召合せ框１２と竪框１１間にわたされている。図示されないが各框の内周溝に嵌入するグレージングチャンネルビードによりガラスが保持されており、上部は図示されない上框８に固定したガイド片が上枠２の条溝２ａに嵌入して案内され、下部は下框９に固定した戸車が下枠３のガイドレール３ｂに係合して開口枠１内を移動可能となっている。
【００２９】
外障子７は上框１５、下框１６、竪框１７、召合せ框１８が四方組され障子の上下方向の中間の横方向の框である中框２０が召合せ框１８と竪框１７間にわたされている。図示されないが各框の内周溝にはグレージングチャンネルビードによりガラスが保持されており、上部は図示されない上框１５に固定されたガイド片が上枠２の突条のガイドレール２ｃに嵌入して案内され、下部は下框１６に固定した戸車が下枠３のガイドレール３ｃに係合して開口枠１内を移動可能となっている。
【００３０】
内障子６の召合せ框１２に設けたクレセント２１（図１参照、図３では図略）は外障子７の召合せ框１８に固定した図示されない受金具と係合して内障子６、外障子７の引寄せ、引分けを行う。
【００３１】
内障子６、外障子７の召合せ框１２，１８間は内障子６、外障子７に夫々煙返し１２ａ，１８ａを備えている。
【００３２】
障子の引寄せ時に召合せ框１２，１８を引寄せて召合せ框１８に備える気密パッキン１４を召合せ框１２に圧接するようになっている。
【００３３】
上枠２、下枠３、竪枠４には外部側に向って開いた条溝２ｂ，３ａ，４ａが形成され、これらの条溝に嵌入してコ字形に気密パッキン２２，２３，２４が配されている。気密パッキン２２，２３，２４は面２２ａ，２３ａ，２４ａが同一平面上にある。
【００３４】
内障子６の上框８、下框９、竪框１１の外周に条溝を形成している位置において、外側材８ａ，９ａ，１１ａの内部側の面８ｂ，９ｂ，１１ｂは同一平面上にある。障子の引寄せ時気密パッキン２２，２３，２４の面２２ｂ，２３ｂ，２４ａと内障子６の上框８の外側材８ａの内側面８ｂ、下框９の外側材９ａの内側面９ｂ、竪框１１の外側材１１ａの内側面１１ｂとが夫々圧接するようになっている。
【００３５】
外障子７の上框１５、下框１６の内側材に設けた内部側に向って立上る突条１５ａ，１６ｂの先端部が機密パッキン２２，２３の外部側を向いた面２２ａ，２３ａに障子の引寄せ時圧接するようになっている。
【００３６】
外障子７の竪框１７の内部側には条溝１７ａが設けられこの条溝１７ａに気密パッキン２６が嵌入している。外障子７の引寄せ時に気密パッキン２１に圧接するように外部側に内懐のあるＬ形の突条５ａが竪枠５に設けてある。
【００３７】
（錠前装置の受部材）
防犯用の錠前装置についてのべる。図２に示すように防犯用の錠前装置は受部材３３が中框２０に取り外さないように固定されている。この固定位置は外部側の障子、即ち外障子の横方向の框である。受部材３３が固定される横部材の框は上框１５、下框１６、中框２０の内何れか１つ以上である。框における受部材の取付面は内部側の面である。本例では中框２０に受部材３３を取り付けている。中框２０での受部材３３の固定個所は召合せ框１８の近くである。召合せ框１２，１８は見付方向（開口枠１が取り付けてある壁面に沿う横方向をいう）の幅は等しく障子を閉めると見込方向で見て一致している。
【００３８】
図４に示すように受部材３３はフランジ３３ａと、めねじ３３ｂを中心に有する円筒形のボス３３ｃとを有する。フランジ３３ａには取付穴３３ｄが設けてある。取付穴３３ｄはボス３３ｃの両側に設けられ、取付穴３３ｄとめねじ３３ｂは見込方向で平行している。取付穴３３ｄは本例では皿頭の取付部材が挿通するように皿もみした穴であるが単なる丸穴でもよい。
【００３９】
（受部材の取付）
受部材３３の中框２０への取付についてのべる。内外障子６，７を閉めクレセント２１を掛ける。これにより、内外障子６，７は引寄せ引分けられる。引分けるときには内外障子７，８の竪框１１，１７が開口枠１に設けた図示されないカム部材と当り、竪框１１，１７を内部側へ引き寄せる。クレセント２１は召合せ框１２，１８を引き寄せる。そこで開口枠１に取り付けた気密パッキン２２，２３，２４の各面２２ｂ，２３ｂ，２４ａと内障子６の上框８の外側材８ａ、下框９の外側材９ａ、竪框１１の外側材１１ａの各内側面８ｂ，９ｂ，１１ｂに各々当接する。
【００４０】
また、外障子７の上框１５の突条１５ａ、下框１６の突条１６ａが気密パッキン２２，２３の面２２ａ，２２ｂに夫々当接する。同時に竪框１７に設けた気密パッキン２６と竪枠５の突条５ａと当接する。
【００４１】
このように内外障子６，７を閉めた状態で内障子６の召合せ框１２の見付方向に面する面（障子６の召合せ框１２の外周面）１２ｂから外障子７の中框２０の内側材２０ａに沿う図２に示す長さＬの位置で、且つ、中框２０の上下方向の中間において内側材２０ａにけがきを入れ、ポンチを打つ。
【００４２】
図３に示すように中框２０は中空部２０ｂを備えている。上記ポンチの位置は中空部２０ｂに対応している。そこで、受部材３３のボス３３ｃが嵌入できる貫通穴２０ｃをドリルで内側材２０ａにあける。
【００４３】
次に受部材３３のボス３３ｃを貫通穴２０ｃに嵌入して、フランジ３３ａを内側材２０ａに当てる。そして、受部材３３をドリル治具として取付穴３３ｄを正にして内側材２０ａに貫通穴２０ｃをあける。
【００４４】
そして、図４に示す取付穴３３ｄ側から取付穴３３ｄ、貫通穴２０ｃを挿通してブラインドねじ３２を差し込み、ブラインドねじ３２により受部材３３を中框２０に取り付ける（図２、図８参照）。なお、ブランドねじに代えてブラインドリベットを用いてもよい。
【００４５】
（掛部材）
掛部材３４は内障子６の召合せ框１２の見付方向（壁面に沿う横方向）に面する側面１２ｂに接すると共に外障子７の横方向の框（上框１５、下框１６、中框２０）の１つである中框２０の内部側の内側材２０ａに接するフレーム３５を有する。
【００４６】
フレーム３５はシート３５ａとフレーム本体３５ｂとを備えている。フレーム本体３５ｂは内部側の障子６の面１２ｂ及び中框２０の内側材２０ａに沿うアングル形部３５ｂ１，３５ｂ２と、鍵手段３６を取り付ける鍵支持部３５ｂ３を有する。鍵支持部３６ｂ３はアングル形部３５ｂ２の端部３５ｂ４から１８０度折曲げしてアングル形部３５ｂ２と重なる重なり部３５ｂ５から内部側へクランク状に折曲げした鍵取付部３５ｂ６を有する。
【００４７】
フレーム３５のシート３５ａはフレーム本体３５ｂのアングル形部３５ｂ１，３５ｂ２の外面に接着等により固着されている。シート３５ａは例えばフエルトのような軟質で、召合せ框１２、中框２０に接する際に召合せ框１２、中框２０の表面を傷つけないようになっている。これは、掛部材３４は着脱自在で使用頻度も多いためである。
【００４８】
このフレーム３５は受部材３３のめねじ３３ｂにねじ込んでフレーム３５を外障子７の中框２０に掛部材３４を固定するためのおねじ部材３７（図４参照）を支持している。本例では次にのべる鍵手段を介しておねじ部材３７はフレーム３５に支持されている。
【００４９】
図２、図３に示すように掛部材３４のフレーム３５には鍵手段３６が設けてある。図４に示すように鍵手段３６の鍵胴４２は鍵取付部３５ｂ６の穴３５ｂ１１に嵌合している。
【００５０】
図４、図５に示すように鍵手段３６は鍵穴３８ａを有する円板状の鍵板３８が鍵板取付具３９の丸穴３９ａに回動可能に嵌合している。丸穴３９ａは内部側にのぞむ穴３９ｃより拡径してある。該取付具３９はフレームの鍵取付部３５ｂ６に取付具３９及び鍵取付部３５ｂ６の穴を挿通するリベット４１により固定されている。取付具３９の丸穴３９ａよりも径の大きい丸穴３９ｂには鍵胴４２のつば４２ａが嵌入している。鍵胴４２の円筒部４２ｂの内径は鍵穴３８ａに丁度嵌入する図示されない鍵が進退自在に案内される直径を有する。円筒部４２ｂの先は縮径された軸受部４２ｃが設けてある。軸受部４２ｃにはおねじ部材３７のおねじ部３７ａの外径部が回転自在に嵌合している。おねじ部３７ａの手前は拡径されたねじ頭である鍵頭３７ｂとなっている。鍵頭３７ｂは円筒部４２ｂ内に回転自在に嵌合している。鍵頭３７ｂの端面には図示されない鍵の先端のパターンとなった突起が嵌合する鍵溝３７ｃが設けてある。鍵胴４２の先端はアングル形部３５ｂ２に設けた穴３５ｂ２１にゆるく挿入されている。
【００５１】
次に上記構成の作用をのべる。受部材３３のフランジ３３ａは厚さが薄いので、引違い障子６，７を開閉する障害とはならない。引違い障子６，７を閉めてクレセント２１を掛けて引違い障子６，７を引き寄せ引き分ける。次に掛部材３４のシート３５ａを内障子６の召合せ框１２の面１２ｂ、中框２０の内側材２０ａの面に当てる。
【００５２】
ここで、シート３５ａを受部材３３のフランジ３３ａの厚さよりも厚さを大きくしてある。そして、シート３５ａの召合せ框の面１２ｂへ当る面も、好ましくはシート３５ａが圧縮されるように図２に示す鍵穴中心から内障子６の召合せ框１２の面１２ｂまでの長さＬを選択する。
【００５３】
そして、掛部材３４のシート３５ａを召合せ框の面１２ｂ、中框２０の内側材２０ａに当てた状態で、図５に示す鍵穴３８ａから図示されない鍵を差し込み、鍵の先端をおねじ部材３７の鍵溝３７ｃに差し込む。
【００５４】
そして鍵を回転するとおねじ部材３７は回転する。その際、鍵と共に鍵板３８も回転する。そして、おねじ部３７ａが受部材３３のめねじ３３ｂにねじ込まれた後は、おねじ部材３７は回転と共に前進して鍵頭３７ｂの首下面３７ｄが丸穴の軸受部４２ｃと円筒部４２ｂの内周の境の段部４２ｄに接する。その後は鍵胴４２はおねじ部材３７と共に前進する。鍵胴４２の前進により、そのつば４２ａはフレーム本体３５ｂの鍵取付部３５ｂ６を見込方向の外部側ヘ向って押す。鍵取付部３５ｂ６が見込方向へ押されると中框２０の内側に接しているシート３５ａは圧縮される。そしてフレーム本体３５ｂは受部材３３にフレーム本体３５ｂのアングル形部３５ｂ２が押圧されて掛部材３４は外障子７の中框２０に固定される。
【００５５】
このとき更に鍵を回すとフレーム本体３５ｂの鍵取付部３５ｂ６が外部側へ向って変位するので重なり部３５ｂ５と鍵取付部３５ｂ６の間の腕部３５ｂ７は弾性変形する。そこで、受部材３３のめねじ３３ｂに対して掛部材３４のおねじ部３７ａには見込方向に常に力が加わっているのでこのねじ対偶の弛み止となる。従って、外力で障子６，７に振動を与えてもこの錠前装置は弛むことがない。
【００５６】
そして重なり部３５ｂ５があるため、鍵取付部３５ｂ６を中框２０に沿うアングル形部３５ｂ２に向って加圧しても、重なり部３５ｂ５が該アングル形部３５ｂ２の端部３５ｂ４を離れた位置を加圧するため、端部３５ｂ４に生じる内力を小さくできる。
【００５７】
この状態でクレセント２１が侵入犯によりガラスの一部をこわして解錠されたとする。しかし乍、先ず、鍵がないから、この防犯用錠前装置は解錠出来ず、取り外せない。従って、この防犯用錠前装置はクレセントの近くに設けることができる。
【００５８】
掛部材３４の取り外しは、図示されない鍵を鍵穴３８ａから差し込み、鍵の先端の突起を鍵溝３７ｃに嵌め合せ、施錠時とは反対方向に回転すると、おねじ部材３７は逆転しておねじ部３７ａは受部材３３のめねじ３３ｂから見込方向内部側へぬける。これによって掛部材３４は取り外せる。
【００５９】
上述のように、この実施例は受部材を中框に取り付けるだけであり、掛部材は着脱容易なため、防犯の目的に照らして安価に製作でき、経済的である。また、フレームのアングル形部に対しても形持梁状にしてある腕部をたわむことができるようにして鍵取付部が変位しておねじ部材と受部材のめねじ間に常に見込方向の力を加えているので、外力で障子に振動等を与えたとしても、掛部材が外れるおそれがない。
【００６０】
クレセントは構造簡単で機能にすぐれる一方、耐久力が必ずしも長いとはいえない。また、クレセントは建屋の開口部回りの駆体（左右の柱）、又は窓台、まぐさ等開口部回りの建屋構造体の狂いに伴なうアルミサッシの開口部の狂いに対応できないので、余り使用しないクレセントでも、締りは可能でも引寄せ引分け機能が低下することがある。
【００６１】
次に、クレセントの引分け引寄せ機能の低下にかかわらず、引寄せ引分けを行える防犯用錠前装置の実施例を図８を用いて説明する。ここで、先に説明した実施例と異なる点のみを説明するが、その他の点は先の実施例の説明を援用する。
【００６２】
図８において、シート３５ａに代えて、硬質合成樹脂の裏張３５ｃが設けてある。この裏張３５ｃはフレーム本体３５ｂのアングル形部３５ｂ１，３５ｂ２に一様な厚さで貼り付けられている。貼り付けは、接着、熱溶着等である。
【００６３】
召合せ框１２の見付方向に向う面１２ｂに裏張３５ｃを介して対向するアングル形部３５ｂ１は内部側から外部側へ行く程内障子６の召合せ框１２の面１２ｂから離れる方向に傾いている。そして、アングル形部３５ｂ１の内部側の先端は召合せ框１２の内部側の面１２ｃにかぶさるように折曲してつば部３５ｂ８となっている。このつば部３５ｂ８の該面１２ｃに面する側にも前述した裏張３５ｃが施工されている。該面１２ｃの裏張３５ｃの召合せ框１２と接する面は面１２ｃを加圧する接触面３５ｃ２である。この裏張の中框２０の内側材２０ａに接する面と召合せ框１２の面１２ｃとの接触面３５ｃ２間の見込方向の距離Ｌ１は内障子６と外障子７を引き寄せたときの大きさよりはわずかに小さく選択されている。
【００６４】
また、裏張３５ｃの召合せ框１２の見付方向に面する面１２ｂと接する傾斜面３５ｃ３のアングル形部３５ｂ２に近い側と、受部材のフランジ３３ａの前述の召合せ框１２の面１２ｂとくい違い対向する面３３ｅに接する裏張３５ｃ又はフレーム本体３５ｂの面３５ｂ９との距離Ｌ２は引き違い障子６，７を引き分けた時に引き分け可能な寸法となっている。面３５ｂ９を有するフレーム本体３５ｂの穴３５ｄは本例では受部材のフランジ３３ａよりも大きくなっており、裏張３５ｃの厚さがフランジ３３ａの厚さよりも薄い場合にも、フレーム本体３５ｂはフランジ３３ａと干渉することがない。
【００６５】
この実施例も、前実施例と同様に掛部材３４を着脱する。装着の際に、クレセント２１を掛けた状態で掛部材３４を見込方向から外部側へ向って移動して面３５ｃ１及び面３５ｂ９を受部材のフランジの面３３ｅに引っかけた状態で施錠する。するとフレーム本体３５ｂは前進し、同時にその裏張３５ｃも前進するので、召合せ框１２の面１２ｂは対向する傾斜している裏張３５ｃの傾斜面３５ｃ３で押されるので引違い障子６，７は引分けられる。更に鍵を回しておねじ部材をねじ込むとつば部３５ｂ８は裏張３５ｃを介して召合せ框１２の面１２ｃを押すので召合せ框１２,１８は引寄せられる。
【００６６】
掛部材３４を取り外すように鍵を解錠方向に回すとおねじ部材３７が受部材３３から離れる。そこでフレーム本体３５ｂの鍵取付部３５ｂ６に指を掛けて引くと、受部材のフランジ３３ａの面３３ｅとフレームの面３５ｂ９、裏張３５ｃの面３５ｃ１が摺擦してフレーム３５は見込方向室内側へ移動すると共に裏張３５ｃと召合せ框１２の面１２ｂ，１２ｃとの左接も解除され、掛部材３４を取り外す。
【００６７】
この実施側によれば耐久的に引寄せ引分け機能が低下した障子の引寄せ引分けて確実とし、気密性をより高められる。
【００６８】
なお、上記において、引寄せ、引分けをより強く行うにはフレーム３５の端部３５ｂ４の近い位置で中框２０に沿うアングル形部３５ｂ２に見込方向にピン４３を植設し、このピン４３に丁度嵌合する穴２０ｄを内側材２０ａにあけておく。この場合受部材３３のフランジ３３ａと、フレー本体３５ｂのアングル形部３５ｂ２及び裏張３５ｃに夫々設けた面３５ｃ１，３５ｂ９は該フランジ３３ａの外周にふれないようにゆるく入る穴としておく。また、図示Ｌ１の寸法はサッシにより異なる場合はつば３５ｂ８に見込方向にめねじを設け、このめねじにねじ込んだセットスクリューの先でライナーを介して面１２ｃを押すようにしてもよい（図示されない）。
【００６９】
この実施例は後付けで経年経過の長い障子に取り付けて低下した窓サッシの引寄せ、引分け機能を回復できる。なお、本例での錠前装置を１個のみ施工する場所は中框が適当である。また、傾斜面３５ｃ３のみとし、接触面３５ｃ２をなくして引分けの機能のみを有するものとしてもよい。
【００７０】
（他の実施例）
図６、図７に他の実施例を示す。図において、フレーム本体３５ｂのアングル形部３５ｂ１，３５ｂ２は前実施例と同様でシート３５ａが張りつけてある。シート３５ａにはフランジ３３ａが入る穴３５ａ１が設けてある。
【００７１】
受部材３３は前実施例と同様で同様に図６では図示されない中框に取り付けてある。おねじ部材３７はおねじ部３７ａの根本におねじ部３７ａよりも拡径したつば部３７ｅを有する。つば部３７ｅにつづく柄部３７ｆの先につまみ３７ｇが設けてある。フレーム本体３５ｂのアングル形部３５ｂ２の端部には屈曲部３５ｂ１５が設けてある。
【００７２】
シート３５ａを介してフレーム３５を中框２０、召合せ框１２に当てフレーム本体３５ｂの穴３５ｂ１６をおねじ部材３７のおねじ部３７ａを挿通して受部材３３のめねじ３３ｂにねじ込む。そして、おねじ部材３７をねじ上げるとつば部３７ｅでフレーム本体３５ｂが加圧されてフレーム３５とおねじ部材３７とを有する掛部材３４（図６には符号を省略）は外障子７の中框２０に固定される。このとき、指を掛けておねじ部材３７を回すつまみ３７ｇは見込方向で屈曲部３５ｂ１５の先端位置に来る。
【００７３】
本例によれば、簡単な構成で外障子に着脱自在な防犯錠前装置を提供できる。障子への取付状態では侵入盗が硝子を破ったとしても、外部側からは屈曲部３５ｂ１５とつまみ３７ｇが接近しているため回し難いものとなっている。
【産業上の利用可能性】
【００７４】
実施例のとおりで、開口部の防犯性能を向上させることができる。又、障子の引寄せ引分け機能を回復できる。
【図面の簡単な説明】
【００７５】
【図１】引き違い窓を内部側より見る正面図である。
【図２】図１のＡ−Ａ拡大断面図である。
【図３】図１のＢ−Ｂ拡大断面図である。
【図４】防犯施錠装置の実施例の水平断面図である。
【図５】図４の一部正面図である。
【図６】他の実施例の分解平面図である。
【図７】図６の正面図である。
【図８】実施例の変形例を示し図１のＡ−Ａ断面図である。
【符号の説明】
【００７６】
Ｌ…長さ  Ｌ１，Ｌ２…距離
１…開口部
２…上枠  ２ａ，２ｂ…条溝  ２ｃ…ガイドレール
３…下枠  ３ａ…条溝  ３ｂ，３ｃ…ガイドレール
４…竪枠  ４ａ…条溝
５…竪枠  ５ａ…突条
６…内障子
７…外障子
８…上框  ８ａ…外側材  ８ｂ…外側材の内部側の面
９…下框  ９ａ…外側材  ９ｂ…外側材の内部側の面
１０…中框
１１…竪框  １１ａ…外側材  １１ｂ…外側材の内部側の面
１２…召合せ框  １２ａ…煙返し  １２ｂ，１２ｃ…面  
１４…気密パッキン
１５…上框  １５ａ…突条
１６…下框  １６ａ…突条
１７…竪框  １７ａ…条溝
１８…召合せ框  １８ａ…煙返し
２０…中框  ２０ａ…内側材  ２０ｂ…中空部  ２０ｃ…貫通穴  ２０ｄ…穴
２１…クレセント
２２…気密パッキン  ２２ａ…面  ２２ｂ…面
２３…気密パッキン  ２３ａ…面  ２３ｂ…面
２４…気密パッキン  ２４ａ…面
２５…框の外側材の内側面
２６…気密パッキン
３２…ブラインドねじ
３３…受部材  ３３ａ…フランジ  ３３ｂ…めねじ  ３３ｃ…ボス  ３３ｄ…取付穴  ３３ｅ…面  
３４…掛部材
３５…フレーム  ３５ａ…シート  ３５ａ１…穴  ３５ｂ…フレーム本体  ３５ｂ１，３５ｂ２…アングル形部  ３５ｂ３…鍵支持部  ３５ｂ４…端部  ３５ｂ５…重なり部  ３５ｂ６…鍵取付部  ３５ｂ７…腕部  ３５ｂ８…つば部  ３５ｂ９…面  ３５ｂ１０，３５ｂ１１…穴  ３５ｂ１５…屈曲部  ３５ｂ１６…穴  ３５ｂ２１…穴  ３５ｃ…裏張  ３５ｃ１…面      ３５ｃ２…穴  ３５ｄ…穴  
３６…鍵手段
３７…おねじ部材  ３７ａ…おねじ部  ３７ｂ…鍵頭  ３７ｃ…鍵溝  ３７ｄ…首下面  ３７ｅ…つば部  ３７ｆ…柄部  ３７ｇ…つまみ
３８…鍵板  ３８ａ…鍵穴
３９…鍵板取付具  ３９ａ…丸穴  ３９ｂ…丸穴  ３９ｃ…口部穴
４１…リベット
４２…鍵胴  ４２ａ…つば  ４２ｂ…円筒部  ４２ｃ…軸受部  ４２ｄ…段部
４３…ピン
【要約】
【目的】  簡易で確実な防犯が行える防犯用錠前装置を提供する。
【構成】  外障子７の中框２０に受部材３３を固定する。掛部材３４を着脱自在に受部材３３に固定する。フレーム３５は腕部３５ｂ７の先に鍵手段３６を固定してある。鍵手段３６に鍵を差し込んで回転してねじ部材３７を受部材３３にねじ込みフレーム３５を内側材２０ａに押圧する。フレーム３５は面１２ｂと接する。内外障子６，７は開かなくなる。
【選択図】        図２
【図１】
0003717508.tif 000002
【図２】
0003717508.tif 000003
【図３】
0003717508.tif 000004
【図４】
0003717508.tif 000005
【図５】
0003717508.tif 000006
【図６】
0003717508.tif 000007
【図７】
0003717508.tif 000008
【図８】
0003717508.tif 000009